(57)【要約】【課題】大気から飲み水等としても使用できる水を取水できる取水装置を提供する。【解決手段】大気取入装置２と、大気取入装置２によって取り入れられる大気圧力を低減する機構８を備えると共に取入れられた大気を冷却して湿分を取出す冷却部９を内蔵した大気湿度変換機１と、大気湿度変換機１によって得られる水を取出す取水コック１９ａ，１９ｂとを備え、取水コック１９ａ，１９ｂより上流側に設けられ、大気湿度変換機１によって得られる水から異物を除去する、第１〜第５フィルタを有するフィルタ装置４を備えるので、大気から飲み水等としても使用できる水を取水できる。【選択図】図１
2014224399.tif 000002
【特許請求の範囲】
【請求項１】
大気取入装置と、
この大気取入装置によって取り入れられる大気圧力を低減する機構を備えると共に取入れられた大気を冷却して湿分を取出す冷却部を内蔵した大気湿度変換機と、
この大気湿度変換機によって得られる水を取出す取水口とを備えた取水装置において、
前記取水口より上流側に設けられ、前記大気湿度変換機によって得られる水から異物を除去するフィルタ装置を備えることを特徴とする取水装置。
【請求項２】
前記フィルタ装置は、水中の固形沈殿物を除去する第１フィルタと、水中の菌、有機化学物質、化合物質等を除去する第２フィルタと、水中の異臭を除去する第３フィルタと、逆浸透膜を有する第４フィルタと、セラミックで構成された第５フィルタとを備えていることを特徴とする請求項１に記載の取水装置。
【請求項３】
前記大気湿度変換機によって得られる水を貯水する貯水タンクと、この貯水タンク内の水をＵＶ殺菌するＵＶ殺菌灯とを備え、前記貯水タンクは前記フィルタ装置の上流側に設けられていることを特徴とする請求項１または２に記載の取水装置。
【請求項４】
前記大気取入装置によって取り入れられる大気から菌、ウイルス、塵等の異物を除去可能なエアフィルタが前記大気取入装置より上流側に設けられていることを特徴とする請求項１〜３のいずれか１項に記載の取水装置。
【請求項５】
前記大気取入装置によって取入れられた大気を２０〜５０℃の温度範囲になるように昇温可能な加温装置と、
前記取り入れた大気が２０〜５０℃の温度範囲となるように前記加温装置の加温条件を制御する制御装置とを備える請求項１〜４のいずれか１項に記載の取水装置。
【発明の詳細な説明】
【技術分野】
【０００１】
本発明は取水装置に係り、特に大気中の湿分を採取する取水装置に関する。
【背景技術】
【０００２】
この種の取水装置の例として特許文献１および特許文献２に記載のものが知られている。
特許文献１に記載の取水装置は、大気吸引装置と、この大気吸引装置によって取り入れられる大気圧力を低減する機構を備えると共に取入れられた大気を冷却して湿分を取出す冷却部を内蔵した大気湿度変換機と、この大気湿度変換機によって得られる水を取出す取水口とを備えている。
このような取水装置によれば、大気吸引装置を駆動することにより、大量の大気を装置内部に取入れ、大気湿度変換機によって、その時の大気の湿分に応じた量の水を凝縮させて取水口から取り出すことができる。
【０００３】
特許文献２に記載の取水装置は、大気取入装置と、取り入れた大気を昇温可能な加温装置と、前記大気取入装置によって取り入れられる大気圧力を低減する機構を備えると共に取り入れられた大気を冷却して湿分を取出す冷却部を内蔵した大気湿度変換機と、この大気湿度変換機によって得られる水を取出す取水口とを有する。
このような取水装置によれば、冬季のように大気が低温であっても、加温装置によって、大気中の湿分を増大させることができ、しかも、採り入れる大気の温度を高くできるため、大気圧力を小さくする必要がない。従って、採り入れる大気量を大きくして、大量の大気の中に存在する湿分から取水が可能となる。したがって、特許文献１に記載の取水装置より取水効率が高まり、冬季のように基本が低い場合でも大気中から水分を取り入れることができるという利点がある。
【先行技術文献】
【特許文献】
【０００４】
【特許文献１】特開平４−２５０２３１号公報
【特許文献２】特許４５９３６９８号公報
【発明の概要】
【発明が解決しようとする課題】
【０００５】
ところで、大気中には細かい埃等の塵芥が含まれているため、引用文献１に記載の取水装置では、大気圧力低減機構を大気取入口に設けたられた多孔質通気体で構成することによって、この多孔質通気体で前記塵芥を除去することができる。
しかしながら、このようにして塵芥を除去した場合でも、その後に何らかの要因によって塵芥が混入した場合、特に当該塵芥が混入した水を飲み水等として使用する場合、好ましくない。
【０００６】
また、引用文献２に記載の取水装置では、大気圧力低減機構を大気取入口に設けたられた多孔質通気体で構成することによって、この多孔質通気体で塵芥を除去することができるとともに、この多孔質通気体の上流側にフィルタを設けて、このフィルタによっても大気中の塵芥を除去することができる。
しかしながら、このようにして塵芥を除去した場合でも、その後に何らかの要因によって塵芥が混入した場合、特に当該塵芥が混入した水を飲み水等として使用する場合、好ましくない。
【０００７】
本発明は、前記事情に鑑みてなされたもので、大気から飲み水等としても使用できる水を容易に取水できる取水装置を提供することを目的とする。
【課題を解決するための手段】
【０００８】
前記目的を達成するために、本発明の取水装置は、大気取入装置と、この大気取入装置によって取り入れられる大気圧力を低減する機構を備えると共に取入れられた大気を冷却して湿分を取出す冷却部を内蔵した大気湿度変換機と、この大気湿度変換機によって得られる水を取出す取水口とを備えた取水装置において、
前記取水口より上流側に設けられ、前記大気湿度変換機によって得られる水から異物を除去するフィルタ装置を備えることを特徴とする。
【０００９】
本発明においては、大気湿度変換機によって得られる水に塵芥等の異物が混入した場合でも、当該水からフィルタ装置によって異物を除去したうえで、取水口から取水できるので、大気から飲み水等としても使用できる水を容易に取水できる。
【００１０】
本発明の前記構成において、前記フィルタ装置は、水中の固形沈殿物を除去する第１フィルタと、水中の菌、有機化学物質、化合物質等を除去する第２フィルタと、水中の異臭を除去する第３フィルタと、逆浸透膜を有する第４フィルタと、多孔質体で構成された第５フィルタとを備えていることが好ましい。
このような５種類のフィルターは、上流側から順に第１、第２、第３、第４、第５フィルタの順で配置するのが好ましいが、順番を適宜変更してもよいが、第５フィルタは最下流に配置する。
【００１１】
このような構成によれば、大気湿度変換機によって得られる水から第１フィルタによって水中の固形沈殿物を除去し、第２フィルタによって水中の菌、有機化学物質、化合物質等を除去し、第３フィルタによって水中の異臭を除去し、第４フィルタによってウイルスを等を除去する。このように、第１〜第４フィルタによって、水中に混入している殆どの異物を除去したうえで、第５フィルタによって、水を活性化したり、水のミネラル分やｐＨを調整したりして、からだに優しい水を得ることができるので、飲み水としてより好ましいものとなる。
【００１２】
ここで、前記第１フィルタとしては、水中の５μｍ以上の大きさの固形沈殿物を除去できるものが好ましく、例えば、ポリプロピレン（ＰＰ）繊維を使用したＰＰフィルタが挙げられる。
前記第２フィルタとしては、水中の菌、有機化学物質、化合物質等を除去可能な活性炭を使用した活性炭フィルタが挙げられる。
前記第３フィルタとしては、塩素（Ｃｈｌｏｒｉｎｅ）、味（Ｔａｓｔｅ）、臭い（Ｏｄｏｒ）を除去できるＣＴＯフィルタが挙げられる。
前記第４フィルタは逆浸透膜を有するので、ウイルス等も除去できる。
前記第５フィルタとしては、セラミックで構成され、少なくともカルシウムを添加してｐＨを安定化させる機能を有するたセラミックフィルタが挙げられる。
【００１３】
セラミックフィルタは、例えば、６種類のセラミックを使用している。
第１のセラミックは、水を活性化できるものである。水は、水の分子どうしが、水素結合することによって、分子集団（クラスタ）をつくり葡萄の房のようなコミュニティを形成しており、一般的にきれいな水のクラスタは小さく、汚れた水ほどクラスタが肥大化していると言われている。水のクラスタを小さくして、水を活性化するには、例えば、水をセラミック材と接触し、セラミックより放射される遠赤外線と水との接触を効果的に上げることによって、連なった水分子を分裂させて、小さなクラスタを得ることができる。このようにして、水を活性化することによって、体内に無理なく吸収させることができる、活力のある水となる。
【００１４】
第２のセラミックは、雑菌の繁殖を抑制できる抗菌セラミックで構成されており、安全な水にすることができる。
第３のセラミックは、ビタミンＣなどの大切な栄養素を崩壊させにくくする酸化セラミックで構成されている。
第４のセラミックは、天然石セラミックで構成されており、各種天然ミネラルを調整し、からだに優しい水にする。
第５のセラミックは、リン酸カルシウムセラミックで構成されており、カルシウムと各種ミネラルを添加して、ｐＨを安定化させる。
第６のセラミックは、ｐＨを弱アルカリ性に安定させるセラミックで構成されている。
【００１５】
また、本発明の前記構成において、前記大気湿度変換機によって得られる水を貯水する貯水タンクと、この貯水タンク内の水をＵＶ殺菌するＵＶ殺菌灯とを備え、前記貯水タンクが前記フィルタ装置の上流側に設けられていることが好ましい。
【００１６】
このような構成によれば、貯水タンク内に水を貯水しておく場合に、当該貯水タンク内での菌の繁殖をＵＶ殺菌灯によるＵＶ殺菌によって防止できるため、安心して貯水できる。そして、貯水されている水は上述したように、フィルタ装置によって異物を除去したうえで、取水口から取水できる。
【００１７】
また、本発明の前記構成において、前記大気取入装置によって取り入れられる大気から菌、ウイルス、塵等の異物を除去可能なエアフィルタが前記大気取入装置より上流側に設けられていることが好ましい。
【００１８】
ここで、前記エアフィルタとしては、例えば、木炭や竹炭、籾殻炭を集積してなるボード（株式会社シックノンコーポレーション製：バイオソルボード）を使用することができる。このバイオソルボードの中には、「バイオソル」というナノ・ミクロンサイズの粒子が存在し、この粒子によって埃等の塵埃だけでなく、菌やウイルスをキャッチして不活性化（ウィルスの繁殖を阻害し感染力を無力化させる）させることができる。
また、このバイオソルボードは、洗浄するだけで効果が持続する。例えば約６０℃のお湯に入れて約３０分つけ置き洗いし、直射日光を避け風通しのよい場所で乾燥させるだけで効果が回復する。
【００１９】
このような構成によれば、大気から菌、ウイルス、塵等の異物を除去可能なエアフィルタが前記大気取入装置より上流側に設けられているので、大気取入装置によって取り入れられる大気から菌、ウイルス、塵等の異物を除去して、大気中から水分を取水できる。
【００２０】
本発明の前記構成において、前記大気取入装置によって取入れられた大気を２０〜５０℃の温度範囲になるように昇温可能な加温装置を備えることが望ましい。
【００２１】
このような構成によれば、冬季のように大気が低温であっても、加温装置によって、大気中の湿分を増大させることができ、しかも、採り入れる大気の温度を高くできるため、大気圧力を小さくする必要がない。したがって、採り入れる大気量を大きくして、大量の大気の中に存在する湿分から取水が可能となる。よって、冬季のように気温が低い場合でも大気中から水分を効率的に取り入れることができる。
【発明の効果】
【００２２】
本発明によれば、大気湿度変換機によって得られる水に異物が混入した場合でも、当該水からフィルタ装置によって異物を除去したうえで、取水口から取水できるので、大気から飲み水等としても使用できる水を容易に取水できる。
【図面の簡単な説明】
【００２３】
【図１】本実施の形態の取水装置を示すもので、その概略構成を示す図である。
【図２】同、取水装置の概略構成を示す断面図である。
【図３】同、取水装置の内部の部品の配置状態を示すもので、（ａ）は左側面図、（ｂ）背面図、（ｃ）は右側面である。
【図４】同、フィルタ装置と貯水タンクの概略構成を示す図である。
【発明を実施するための形態】
【００２４】
以下、本発明の実施の形態を図面を参照して説明する。
図１は飲料水を得るための取水装置の概略構成を示す図、図２は同取水装置の概略構成を示す断面図、図３は同取水装置の内部の部品の配置状態を示すもので、（ａ）は左側面図、（ｂ）背面図、（ｃ）は右側面である。また、図４はフィルタ装置と貯水タンクの概略構成を示す図である。
【００２５】
図１に示すように、取水装置は、取り入れた大気中の湿分を取出すための大気湿度変換機１と、この大気湿度変換機１に大量の大気を取り入れるための大気取入装置たる吸引ポンプ２と、大気湿度変換機１に取り入れられた大気を冷却する冷媒を送込む冷却機構３と、大気湿度変換機１によって得られる水から異物を除去するフィルタ装置４とを備えている。
【００２６】
吸引ポンプ２には、取り入れる大気を昇温するための加温装置２ａが設けられている。この加温装置２ａは、電熱線などからなるヒータを内蔵していて、温度センサ（図示略）で大気の加温状態をモニターしながら、大気が一定温度以上になるように制御されている。この場合の温度制御は、制御装置Ｃによってなされる。加温は、例えば、冬などの寒冷期に大気が０℃近い場合に、大気を２０〜５０℃、より好ましくは４０〜５０℃に加熱することにより、大気中の飽和水分量（飽和水蒸気量）を高めて、季節に関わらず効率よく大気中から取水を可能とするものである。したがって、この加温装置２ａを備えることにより、本実施形態の取水装置を寒冷地方でも効率的に使用することができる。しかも、取り入れられる大気が加温されているので、従来の取水装置に比べて取水効率が極めて高いものに実現できた。なお、前記加温装置２ａとしては赤外線輻射ヒータのような構成のものでもよい。
また、加温装置２ａは吸引ポンプ２に設けているが、図２および図３（ｃ）に示すように、大気取入装置２をファン２０によって構成し、このファン２０を大気湿度変換機１の後方に配置した場合、加温装置２ａは、大気湿度変換機１の前方に配置するのが好ましい。
【００２７】
図１に示すように、吸引ポンプ２により吸引された大量の大気を一時に送給することによる弊害を緩和するため、吸引した大気を２〜４に分岐する風量調節機５に送給し、ここで複数の大気流として分岐され、幾分整流されて変動幅の少ない大気が次のフィルタ６に送給される。つまり、風量調節機５の内部には、図示はしないが、風量を調節可能に開閉するダンパーが装着されており、前記制御装置Ｃの指示により次のフィルタ６に送給される各分岐管内の風量を均一になるように、ダンパの開閉量を制御するようになっている。
なお、風量調節機５は必ずしも必要ではないが、安定して大量の大気を送給し、取水効率を上げるためには、設けることが好ましい。風量調節機５によって分岐される数、分岐管のサイズ等は適宜選択することができる。
【００２８】
また、図１〜図３に示すように、大気を取水装置のケーシングＫ内に取り込む取込口１６ａには、エアフィルタ７が大気取入装置（吸引ポンプ、ファン等）１より上流側に設けられている。
このエアフィルタ７は、大気取入装置２によって取り入れられる大気から菌、ウイルス、塵等の異物を除去可能なものである。
前記エアフィルタ７としては、例えば、木炭や竹炭、籾殻炭を集積してなるボード（株式会社シックノンコーポレーション製：バイオソルボード）を使用することができる。このバイオソルボードの中には、「バイオソル」というナノ・ミクロンサイズの粒子が存在し、この粒子によって埃等の塵埃だけでなく、菌やウイルスをキャッチして不活性化（ウィルスの繁殖を阻害し感染力を無力化させる）させることができる。
また、このバイオソルボードは、洗浄するだけで効果が持続する。例えば約６０℃のお湯に入れて約３０分つけ置き洗いし、直射日光を避け風通しのよい場所で感想させるだけで効果が回復する。
【００２９】
図１に示すように、フィルタ６およびエアフィルタ７によって塵芥や菌、ウイルス等の異物が除去された大気は、大気取入装置２（２０）から取り入れられた大量の大気から効率よく湿分を取出すために大気圧力を低減するための大気圧力低減機構たる多孔質通気体８に送給される。多孔質通気体８は、種々の形態のものを採用できるが、大気が加温されて温風になっているので、発泡ポリウレタン製、発泡ポリプロピレン製などの通気体（５０〜１２０メッシュ）を使用することが好ましい。
【００３０】
前記大気湿度変換機１は、多孔質通気体８と、大気取入装置２から取り入れられた大気を冷却して湿分を取出す冷却部９とを備えている。
冷却部９は前記冷却機構３に接続されている。この冷却機構３は、一般に用いられている冷却装置をそのまま使用することができ、例えば、冷媒を圧縮する圧縮器１１と、ファン１４を有する凝縮器１２と、減圧機構（図示せず）と冷熱を蓄熱する蓄熱槽（図示せず）等とからなっていて、冷熱を有する冷媒（冷媒としては、アンモニア、フレオン、水等種々のものを使用することができる）を、配管１３を介して大気湿度変換機１の冷却部９に搬送するようになっている。
冷却部９には、多数のフィンを有する凝結器１０が設けられており、冷却部９によって冷却された大気は、凝結器１０によって凝縮されて水となる。これによって、取り入れられた大量の大気を効果的に凝縮して、水を得ることができるのである。
なお、水が取水された大気（空気）は、空気排出口１６ｂから外部に排出される。この空気排出口１６ｂから排出された空気は、フィルタ６およびエアフィルタ７によって塵芥や菌、ウイルス等の異物が除去されているので、取水装置を空気清浄装置としても使用できる。
【００３１】
このようにして得られた水は、飲料用に供するため、更に、殺菌装置１５に送られる。この殺菌装置１５は、図２および図３（ｃ）に示すように、前記水を貯水する貯水タンク１５ａと、この貯水タンク１５ａ内の水をＵＶ殺菌するＵＶ殺菌灯１５ｂとを備えている。貯水タンク１５ａは前記フィルタ装置４の上流側で、かつ前記凝結器１０の直下に設けられている。したがって、凝結器１０によって凝縮された水は、下方に落下して、貯水タンク１５ａ内に貯水されたうえで、ＵＶ殺菌灯１５ｂによってＵＶ殺菌される。
【００３２】
ＵＶ殺菌された水はポンプ１７によって前記フィルタ装置４に送り込まれ、当該フィルタ装置４を通過する。
このフィルタ装置４は、図３（ａ）および図４に示すように、第１フィルタ４ａと、第２フィルタ４ｂと、第３フィルタ４ｃと、第４フィルタ４ｄと、第５フィルタ４ｅとを備えている。なお、本実施の形態では、これらフィルタ４ａ〜４ｅは、上流側から順にこの順番で配置されているが、フィルタ４ａ〜４ｅの順番は適宜変更してもよい。ただし、第５フィルタ４ｅは最下流に配置する。
また、フィルタ４ａ〜４ｅは全て交換可能なカートリッジ状となっており、交換、補修が容易となっている。
【００３３】
第１フィルタ４ａは、水中の固形沈殿物を除去するものであるが、具体的には、水中の５μｍ以上の大きさの固形沈殿物を除去できるものが好ましく、例えば、ポリプロピレン（ＰＰ）繊維を使用したＰＰフィルタが好適に使用される。
第２フィルタ４ｂは、水中の菌、有機化学物質、化合物質等を除去するものであるが、活性炭を使用した活性炭フィルタが好適に使用される。
第３フィルタ４ｂは、水中の異臭を除去するものであるが、塩素（Ｃｈｌｏｒｉｎｅ）、味（Ｔａｓｔｅ）、臭い（Ｏｄｏｒ）を除去できるＣＴＯフィルタが好適に使用される。
第４フィルタ４ｄは、逆浸透膜を有するものであり、ウイルス等も除去できる。この逆浸透膜の孔の大きさは約２ナノメートルであり、ウイルスで現在最も小さいピコルナウイルスやパルボウイルスでも大きさは約２０ナノメートルであるから、ほぼ全ての病原菌やウイルスを除去できる。
【００３４】
第５フィルタ４ｅは、多孔質体、具体的にはセラミックで構成されたセラミックフィルタである。
第１のセラミックは、水を活性化できるものである。水は、水の分子どうしが、水素結合することによって、分子集団（クラスタ）をつくり葡萄の房のようなコミュニティを形成しており、一般的にきれいな水のクラスタは小さく、汚れた水ほどクラスタが肥大化していると言われている。水のクラスタを小さくして、水を活性化するには、例えば、水をセラミック材と接触し、セラミックより放射される遠赤外線と水との接触を効果的に上げることによって、連なった水分子を分裂させて、小さなクラスタを得ることができる。このようにして、水を活性化することによって、体内に無理なく吸収させることができる、活力のある水となる。
第２のセラミックは、雑菌の繁殖を抑制できる抗菌セラミックで構成されており、安全な水にすることができる。
第３のセラミックは、ビタミンＣなどの大切な栄養素を崩壊させにくくする酸化セラミックで構成されている。
第４のセラミックは、天然石セラミックで構成されており、各種天然ミネラルを調整し、からだに優しい水にする。
第５のセラミックは、リン酸カルシウムセラミックで構成されており、カルシウムと各種ミネラルを添加して、ｐＨを安定化させる。
第６のセラミックは、ｐＨを弱アルカリ性に安定させるセラミックで構成されている。
【００３５】
このようなフィルタ装置４を通った水は、第１フィルタ４ａによって水中の固形沈殿物が除去され、第２フィルタ４ｂによって水中の菌、有機化学物質、化合物質等が除去され、第３フィルタ４ｃによって水中の異臭が除去され、第４フィルタ４ｄによってウイルスを等が除去される。このように、第１〜第４フィルタによって、水中に混入している殆どの異物を除去したうえで、第５フィルタ４ｅによって、水を活性化したり、水のミネラル分やｐＨを調整したりして、からだに優しい水を得ることができるので、より飲み水として好ましいものとなる。
【００３６】
このような水は、図３（ａ）〜（ｃ）に示すように、取水装置内部の上部に設けられたタンク１８に貯留される。タンク１８は、温水タンク１８ａと冷水タンク１８ｂとを備えている。温水タンク１８ａは、自動煮沸機能を搭載しており、約８０℃〜９０℃のお湯を貯留可能となっている。冷水タンク１８ｂは、冷却機能を搭載しており、約５℃〜１２℃の冷水を貯留可能となっている。なお、図２に示すように、タンク１８にＵＶ殺菌灯１５ｃを設けてもよい。
【００３７】
温水タンク１８ａと冷水タンク１８ｂとには、それぞれ取水口としての取水コック１９ａ，１９ｂが取り付けられており、当該取水コック１９ａ，１９ｂから温水や冷水を取水できるようになっている。
【００３８】
以上のように、本実施の形態の取水装置によれば、大気湿度変換機１によって得られる水に異物が混入した場合でも、当該水からフィルタ装置４によって異物を除去したうえで、取水コック１９ａ，１９ｂから取水できるので、大気取入装置２によって取り入れられる大気から飲み水等としても使用できる水を容易に取水できる。
また、貯水タンク１５ａ内での菌の繁殖をＵＶ殺菌によって防止できるため、安心して貯水できる。そして、貯水されている水は上述したように、フィルタ装置４によって異物を除去したうえで、取水コック１９ａ，１９ｂから取水できる。
【００３９】
さらに、エアフィルタ７が大気取入装置２より上流側に設けられているので、大気から菌、ウイルス、塵等の異物を除去して、大気中から水分を取水できる。
加えて、冬季のように大気が低温であっても、加温装置２ａによって、大気中の湿分を増大させることができ、しかも、採り入れる大気の温度を高くできるため、大気圧力を小さくする必要がない。従って、採り入れる大気量を大きくして、大量の大気の中に存在する湿分から取水が可能となる。したがって、冬季のように気温が低い場合でも大気中から水分を効率的に取り入れることができる。
【００４０】
なお、上述の実施の形態では、大気圧力を低減するための多孔質通気体８としては、ある程度の連続加温状態に耐えられるものであれば、各種エアフィルター等を用いることもできる。多孔質通気体の代わりに、大気取り入れ通路に邪魔板を多数配置するように構成してもよく、オリフィスのような構成としてもよい。要は、取り入れる大気圧力を低減するために、圧損を大きくできる構成であればよい。前記多孔質通気体が多孔質焼結材のようなものでもよい。大気圧力低減機構が、取り入れた大気をらせん管のような細長い通路を通過させた後、体積の大きな室に導入することにより大気圧力を低減させるようにしたものであってもよい。
【００４１】
また、取り入れられた大量の大気を効果的に凝縮させるため、露結を容易にさせる触媒作用を備えた凝縮剤のようなものを添加してもよい。さらに、大気を冷却して取水した後は外部に逃がす大気中の湿分をできるだけ少なくするために、出口部分の大気圧力を高めるように出口の大きさを小さく絞るようにしてもよい。
【符号の説明】
【００４２】
１    大気湿度変換機
２    吸引ポンプ（大気取入装置）
２０  ファン（大気取入装置）
３    冷却機構
４    フィルタ装置
４ａ  第１フィルタ
４ｂ  第２フィルタ
４ｃ  第３フィルタ
４ｄ  第４フィルタ
４ｅ  第５フィルタ
７    エアフィルタ
８    多孔質通気体（大気圧力を低減する機構）
９    冷却部
１５ａ  貯水タンク
１５ｂ  ＵＶ殺菌灯
１９ａ，１９ｂ  取水コック（取水口）
【図１】
2014224399.tif 000003
【図２】
2014224399.tif 000004
【図３】
2014224399.tif 000005
【図４】
2014224399.tif 000006